(57)【要約】【課題】  落下しても割れにくい二重構造のピッチャーの提供。【解決手段】  ポリエステル系樹脂製の外容器１と、該外容器１よりも一回り小さいポリエステル系樹脂製の内容器２と、ポリエステル系樹脂製のリング状の上縁部４を備え、内容器２は、上端部に外周側に張り出すフランジ部５を有し、フランジ部５の下面５ａを外容器１の上端面１ａに超音波溶着により接合してあり、上縁部４は、下面４ａを外容器１の上端面１ａと内容器２のフランジ部５の上面５ｂの少なくとも一方に超音波溶着により接合してあり、外容器１と内容器２の間に空気層３を備えている。【選択図】      図１
2015146866.tif 000002
【特許請求の範囲】
【請求項１】
ポリエステル系樹脂製の外容器と、該外容器よりも一回り小さいポリエステル系樹脂製の内容器と、ポリエステル系樹脂製のリング状の上縁部を備え、内容器は、上端部に外周側に張り出すフランジ部を有し、フランジ部の下面を外容器の上端面に超音波溶着により接合してあり、上縁部は、下面を外容器の上端面と内容器のフランジ部の上面の少なくとも一方に超音波溶着により接合してあり、外容器と内容器の間に空気層を備えていることを特徴とするピッチャー。
【請求項２】
前記ポリエステル系樹脂がトライタンであることを特徴とする請求項１記載のピッチャー。
【発明の詳細な説明】
【技術分野】
【０００１】
本発明は、ビール等の飲料を入れるピッチャーに関する。
【背景技術】
【０００２】
飲食店等では、ビールや飲料水等を客に提供するために、ピッチャーが広く用いられている。かかるピッチャーにおいては、ビール等の温度を保つために、合成樹脂製の外容器と内容器とから成る二重構造としたものが知られている（例えば、特許文献１参照。）。このようなピッチャーの材質は主にアクリルで、誤って落としたりすると割れる不都合があった。
【０００３】
近年では、例えば特許文献２に開示されているように、落下しても割れにくいポリエステル系樹脂が実用化されているが、従来の二重構造のピッチャーは、内容器の壁の上端から外側に折り返された折り返し部を設け、折り返し部の下端と外容器の上端とに互いに嵌合する突条と溝を設け、その突条と溝を嵌合させて超音波溶着することで、外容器と内容器を一体化しており、外容器と内容器を割れにくいポリエステル系樹脂で製作したとすると、外容器と内容器を超音波溶着するために内容器の上端に超音波振動を印加しても、柔軟性を有する材質であることと、超音波振動が内容器の内周側の壁と折り返し部とに分散することから、接合部まで超音波振動が伝わりにくいため、超音波溶着がうまくできなかった。また、割れにくいポリエステル系樹脂を接着できる接着剤も実用化されていない。
【先行技術文献】
【特許文献】
【０００４】
【特許文献１】特開２０１２−１０５９２１号公報
【特許文献２】特開２０１１−３７４８４号公報
【発明の概要】
【発明が解決しようとする課題】
【０００５】
本発明は以上に述べた実情に鑑み、落下しても割れにくい二重構造のピッチャーの提供を目的とする。
【課題を解決するための手段】
【０００６】
上記の課題を達成するために請求項１記載の発明によるピッチャーは、ポリエステル系樹脂製の外容器と、該外容器よりも一回り小さいポリエステル系樹脂製の内容器と、ポリエステル系樹脂製のリング状の上縁部を備え、内容器は、上端部に外周側に張り出すフランジ部を有し、フランジ部の下面を外容器の上端面に超音波溶着により接合してあり、上縁部は、下面を外容器の上端面と内容器のフランジ部の上面の少なくとも一方に超音波溶着により接合してあり、外容器と内容器の間に空気層を備えていることを特徴とする。
【０００７】
請求項２記載の発明によるピッチャーは、請求項１記載の発明の構成に加え、前記ポリエステル系樹脂がトライタンであることを特徴とする。
【発明の効果】
【０００８】
請求項１記載の発明によるピッチャーは、ポリエステル系樹脂で形成したことにより落下しても割れにくく、且つ外容器と内容器の間に空気層を備えているので、飲料の温度を維持できる。さらに本発明のピッチャーは、上縁部をリング状として内容器と別体で形成し、内容器の上端部に外周側に張り出して設けたフランジ部の下面を外容器の上端面に超音波溶着により接合し、上縁部の下面を外容器の上端面と内容器のフランジ部の上面の少なくとも一方に超音波溶着により接合することで、外容器と内容器と上縁部とを強固に一体化できる。
【０００９】
請求項２記載の発明によるピッチャーは、前記ポリエステル系樹脂がトライタンであるため、全体がガラスのように透明で、尚且つ落下しても割れない優れた耐衝撃性を備える。
【図面の簡単な説明】
【００１０】
【図１】本発明に係るピッチャーの一実施形態を示す縦断面図である。
【図２】（ａ）は同ピッチャーの平面図、（ｂ）は同ピッチャーの正面図である。
【図３】同ピッチャーの組立手順を示す縦断面図である。
【図４】同ピッチャーを複数積み重ねて保管するときの状態を示す正面図である。
【図５】外容器と内容器と上縁部との接着部の他の例を示す縦断面図である。
【発明を実施するための形態】
【００１１】
以下、本発明の実施の形態を図面に基づいて説明する。図１，２は、本発明によるピッチャー１４の一実施形態を示している。本ピッチャー１４は、容量が１．８リットルのビール用のピッチャーであり、図１に示すように、ポリエステル系樹脂で形成した外容器１と内容器２と上縁部４の３つのパーツを、超音波溶着により一体化して形成してある。上縁部４には、図２に示すように、泡切り機能を有する蓋９が着脱自在に取付けられる。
ポリエステル系樹脂としては、イーストマンケミカル社が製造販売している原料プラスチックであるトライタン、具体的な商品名「ＥＡＳＴＭＡＮ ＴＲＩＴＡＮ コポリエステル」を使用している。本ピッチャー１４は、当該樹脂を使用することで、全体がガラスのように透明で、高いところから落しても割れない優れた耐衝撃性を備えるものとなっている。
【００１２】
外容器１は、図１に示すように、上方に向けて開口するカップ状を成し、内容器２は、外容器１よりも一回り小さくて上方に向けて開口するカップ状を成していて、上端部より外周側に張り出すフランジ部５を設け、フランジ部５を外容器１の上端面１ａに接着し、外容器１と内容器２との間には３ｍｍ程度の空気層３が形成してある。外容器１と内容器２の肉厚は、いずれも約２ｍｍとしてある。
上縁部４は、リング状に形成され、上方に向かうにつれて厚みが若干薄くなっており、周囲の一箇所に注ぎ口１０が略三角形状に張り出して設けてある。上縁部４の下面は、内周側にフランジ部５の厚み分だけ高くなるように段６を設け、フランジ部５を上下から挟むように、外容器１の上端面１ａとフランジ部５の上面とに接着されている。
【００１３】
本ピッチャー１４の組立手順を説明すると、まず図３（ａ）に示すように、外容器１に内容器２を上方から差し入れ、内容器２のフランジ部５の下面５ａを外容器１の上端面１ａに当接させ、フランジ部５に上方から超音波振動を印加する。フランジ部５の下面５ａには断面山型の第１突部７が周方向に連続して形成してあり、その第１突部７が超音波振動により溶融し、フランジ部５下面５ａが外容器１の上端面１ａに接着される。トライタンは柔軟性のある樹脂であるが、このように薄肉のフランジ部５に超音波振動を印加することで、接着面に超音波振動がよく伝わるため、外容器１と内容器２との超音波溶着が確実に行える。
次に、図３（ｂ）に示すように、外容器１上端面１ａとフランジ部５上面５ｂに上縁部４を上方からあてがい、上縁部４に上方から超音波振動を印加する。上縁部４の下面４ａには、断面山型の第２突部８ａ，８ｂが外周側と内周側に周方向に連続して形成してあり、これらの第２突部８ａ，８ｂが超音波振動により溶融し、図３（ｃ）に示すように、上縁部４の下面４ａが外容器１上端面１ａとフランジ部５上面５ｂとに接着される。フランジ部５は、外容器１上端面１ａと上縁部４下面４ａとに挟み込まれる形で接着される。上縁部４は中実のリング状に形成され、二重構造ではないため、柔軟性のある樹脂であっても接着面に超音波振動がよく伝わり、上縁部４を外容器１及び内容器２と確実に接着できる。
このように、２段階で超音波溶着を行うことで、外容器１、内容器２及び上縁部４の３つのパーツを、強固に一体化できる。
【００１４】
外容器１と上縁部４とを接着するための超音波溶着用の第２突部８ａは、図５に示すように、外容器１の上端面１ａに設けることもできる。
【００１５】
以上に述べたように本ピッチャー１４は、トライタンで形成したことにより、ガラスと同じように透明でありながら、高いところから落しても割れることがない。また、外容器１と内容器２の間に空気層３を備えているので、飲料の温度を維持できる。さらに本ピッチャー１４は、上縁部４をリング状として内容器２と別体で形成し、内容器２の上端部に外周側に張り出して設けたフランジ部５の下面５ａを外容器１の上端面１ａに超音波溶着により接合し、上縁部４の下面４ａを外容器１の上端面１ａと内容器２のフランジ部５の上面５ｂとに超音波溶着により接合することで、外容器１と内容器２と上縁部４とを強固に一体化できる。
【００１６】
上縁部４の下面４ａは、外容器１の上端面１ａと内容器２のフランジ部５の上面５ｂの何れか一方にだけ超音波溶着してもよい。
【００１７】
本ピッチャー１４は、図２に示すように、外容器１に取っ手１１が一体に形成してあり、取っ手１１は下向きに略Ｌ字形に曲がった形状となっており、取っ手１１の下端は外容器１の外周面から離れている。また、取っ手１１の付け根よりも低い位置の外容器１外周面には、係止突部１２が２箇所形成してある。さらに、外容器１の外周面の上半分の領域には、上下方向にのびる突条１３が周方向に分散して複数形成してある。
【００１８】
本ピッチャー１４は、上述のように取っ手１１が下向きに略Ｌ字形に曲がった形状となっており、取っ手１１の付け根よりも低い位置の外容器１外周面に係止突部１２が複数形成してあることで、図４に示すように、複数のピッチャー１４，１４，…をコンパクトに重ねることができる。外容器１の外周面の上半分の領域に、上下方向にのびる突条１３が周方向に分散して複数形成してあることで、積み重ねたときにピッチャー１４のぐらつきが規制されると共に、ピッチャー１４同士がくっついて離れにくくなるのを防ぐことができる。
【００１９】
本発明は以上に述べた実施形態に限定されない。本ピッチャーの材質は、トライタンに限らず、これと同等の割れにくいポリエステル系樹脂であってもよい。ピッチャーの形状、大きさ等は、適宜変更することができる。中に入れる飲料の種類は任意であり、ビール等の冷たい飲料だけでなく、お茶やコーヒー等の温かい飲料用にも用いることもでき、その場合には優れた保温性能を発揮する。
【符号の説明】
【００２０】
１  外容器、１ａ  上端面
２  内容器
３  空気層
４  上縁部、４ａ  下面
５  フランジ部、５ａ  下面、５ｂ  上面
６  段
７  第１突部
８ａ，８ｂ  第２突部
９  蓋
１０  注ぎ口
１１  取っ手
１２  係止突部
１３  突条
１４  ピッチャー
【図１】
2015146866.tif 000003
【図２】
2015146866.tif 000004
【図３】
2015146866.tif 000005
【図４】
2015146866.tif 000006
【図５】
2015146866.tif 000007